(57)【要約】【課題】読取画像への光源像の写りこみを抑制した画像読取装置を提供する。【解決手段】本発明に係る画像読取装置は、原稿Ｇを第１の方向に搬送する搬送部と、透光部材３１２を介して原稿Ｇの読取位置Ｈを照明する照明部４０１、４０２と、読取位置Ｈからの光を受光する受光部４０６と、読取位置Ｈからの光を受光部４０６に導光する光学系とを有し、第１の方向と透光部材３１２の原稿Ｇの側の面の法線Ｓとを含む第１の断面内において、透光部材３１２の原稿Ｇの側の法線Ｓと原稿Ｇの読取位置Ｈにおける法線Ｐとのなす角度は、光学系の光軸Ｒと原稿Ｇの読取位置Ｈにおける法線Ｐとのなす角度よりも大きいことを特徴とする。【選択図】  図３
2020071427.tif 000002
【特許請求の範囲】
【請求項１】
原稿を第１の方向に搬送する搬送部と、
透光部材を介して前記原稿の読取位置を照明する照明部と、
前記読取位置からの光を受光する受光部と、
前記読取位置からの光を前記受光部に導光する光学系とを有し、
前記第１の方向と前記透光部材の前記原稿の側の面の法線とを含む第１の断面内において、前記透光部材の前記法線と前記原稿の前記読取位置における法線とのなす角度は、前記光学系の光軸と前記原稿の前記法線とのなす角度よりも大きいことを特徴とする画像読取装置。
【請求項２】
前記光軸と前記原稿の前記法線とは、互いに平行であることを特徴とする請求項１に記載の画像読取装置。
【請求項３】
前記光軸が前記透光部材の前記法線に対してなす角度は、２°以上であることを特徴とする請求項１に記載の画像読取装置。
【請求項４】
前記照明部は、前記第１の方向において前記読取位置よりも上流側及び下流側に配置された第１及び第２の照明部を含み、
該第１及び第２の照明部から出射した光の拡散度は互いに異なることを特徴とする請求項３に記載の画像読取装置。
【請求項５】
前記第１の照明部は、第１の光源と、該第１の光源から出射した光を前記原稿へ導光する第１の導光体とを有し、
該第１の導光体は、前記第１の光源からの光が入射する、前記第１の断面に垂直な第２の方向に長尺な第１の入射面と、該第１の入射面からの光を前記原稿に向けて出射させる第１の出射面とを有することを特徴とする請求項４に記載の画像読取装置。
【請求項６】
前記第１の照明部は、該第１の出射面から前記原稿までの光路に配置された拡散部材を有することを特徴とする請求項５に記載の画像読取装置。
【請求項７】
前記拡散部材は、前記第２の方向と前記光軸とに垂直な第３の方向よりも、前記第２の方向において光を広く拡散させることを特徴とする請求項６に記載の画像読取装置。
【請求項８】
前記第１の出射面は、微細凹凸構造を含むことを特徴とする請求項５に記載の画像読取装置。
【請求項９】
請求項１乃至８のいずれか一項に記載の画像読取装置と、前記原稿の画像に基づいて感光面に画像を形成する画像形成部とを有することを特徴とする画像形成装置。
【発明の詳細な説明】
【技術分野】
【０００１】
本発明は、画像読取装置に関し、特に、複写機、ファクシミリ装置、複合機等の画像形成装置に設けられる、自動原稿搬送装置により搬送される原稿の画像を読み取る画像読取装置に関する。
【背景技術】
【０００２】
従来、画像形成装置に設けられる画像読取装置として、自動原稿搬送装置（以下、ＡＤＦ：Ａｕｔｏ  Ｄｏｃｕｍｅｎｔ  Ｆｅｅｄｅｒと呼ぶ）を備え、該ＡＤＦによって搬送される原稿の画像を読み取るものがある。
そのような画像読取装置では、普通紙、厚紙や薄紙等の原稿の多種化に伴って、プラテンガラス（原稿台ガラス）とプラテンローラとの間隔を広げる必要があり、その場合、比較的薄い原稿が読取位置に搬送される際に、プラテンガラスに対して傾斜してしまう。
【０００３】
また、特許文献１は、複数のＬＥＤが配列された光源及び導光体から構成される二つの照明装置を、プラテンガラスの法線に平行に設定された読取光軸を挟んで両側に互いに対称配置することによって照明分布のむらを抑制した画像読取装置を開示している。
【先行技術文献】
【特許文献】
【０００４】
【特許文献１】特開２００４−１７０８５８号公報
【発明の概要】
【発明が解決しようとする課題】
【０００５】
しかしながら、特許文献１に開示されている画像読取装置において、上記のようにＡＤＦによって傾斜して読取位置に搬送された原稿の画像を読み取ろうとすると、読取光軸と原稿の法線とが非平行になる。そのため、原稿からの正反射光の進行方向が読取光軸と一致してしまう場合がある。
その場合、正反射光に起因する離散した光源像（配列された各ＬＥＤの鏡像）が読取画像へ写りこんでしまう。
そこで本発明は、そのような読取画像への光源像の写りこみを抑制した画像読取装置を提供することを目的とする。
【課題を解決するための手段】
【０００６】
本発明に係る画像読取装置は、原稿を第１の方向に搬送する搬送部と、透光部材を介して原稿の読取位置を照明する照明部と、読取位置からの光を受光する受光部と、読取位置からの光を受光部に導光する光学系とを有し、第１の方向と透光部材の原稿の側の面の法線とを含む第１の断面内において、透光部材の原稿の側の法線と原稿の読取位置における法線とのなす角度は、光学系の光軸と原稿の読取位置における法線とのなす角度よりも大きいことを特徴とする。
【発明の効果】
【０００７】
本発明によれば、読取画像への光源像の写りこみを抑制することができる。
【図面の簡単な説明】
【０００８】
【図１】第一実施形態に係る画像読取装置を備えた画像形成装置の模式的正面図。
【図２】第一実施形態に係る画像読取装置の斜視図及び断面図。
【図３】第一実施形態に係る画像読取装置の第２画像読取ユニット近傍における断面図及び拡大図。
【図４】第二実施形態に係る画像読取装置の第２画像読取ユニット近傍における断面図及び拡大図。
【図５】第三実施形態に係る画像読取装置の第２画像読取ユニット近傍における断面図及び拡大図。
【図６】従来の画像読取装置の第２画像読取ユニット近傍における断面図及び拡大図。
【発明を実施するための形態】
【０００９】
以下に、本実施形態に係る画像読取装置を添付の図面に基づいて詳細に説明する。なお、以下に示す図面は、本実施形態を容易に理解できるようにするために、実際とは異なる縮尺で描かれている場合がある。また、各図面において、同一の部材については同一の参照番号を付し、重複する説明を省略する。
【００１０】
［第一実施形態］
図１は、第一実施形態に係る画像読取装置１０１を備えた画像形成装置１００の模式的正面図を示している。
なお、以下に示す画像形成装置１００は一例に過ぎず、画像読取装置１０１を備えたファクシミリ装置やインクジェットプリンター、複写機等も、本実施形態に係る画像読取装置を備えた画像形成装置に該当する。
【００１１】
図１に示されているように、画像形成装置１００は、記録紙に画像を形成するための画像形成部本体１０２と、画像形成部本体１０２の下部に装着され、記録紙を積載するための給紙カセット１０３とを備えている。また、画像形成装置１００は、画像形成部本体１０２の上部に装着され、原稿の画像を読み取るための画像読取装置１０１を備えている。
【００１２】
画像形成部本体１０２の内部では、ほぼ中央部に不図示の画像形成手段が配置されており、その下方には給紙カセット１０３を含む、記録紙を給紙するための不図示の給紙手段が配置されている。
また、画像形成部本体１０２の上方には原稿の画像を読み取るための読取手段としてのＣＣＤイメージセンサ等を備えた画像読取装置１０１が配置されている。
そして、画像読取装置１０１と画像形成部本体１０２との間には空間が設けられ、画像形成部本体１０２によって搬送されて排出された記録紙を載置するための本体排紙部１０４が形成されている。
【００１３】
画像形成部本体１０２においては、画像形成手段として、従来周知の電子写真方式によるプリントエンジンが設けられており、不図示のレーザ書き込み部、感光面を備えた電子写真プロセス部、定着部等が内蔵されている。
また、給紙手段としては、給紙カセット１０３に載置された記録紙を分離給紙するための不図示の給紙ローラ等が内蔵されており、画像形成手段に記録紙を供給している。
【００１４】
図２（ａ）及び（ｂ）はそれぞれ、本実施形態に係る画像読取装置１０１の斜視図及び断面図を示している。
【００１５】
図２（ａ）及び（ｂ）に示されているように、画像読取装置１０１は、自動原稿搬送装置（以下、ＡＤＦ：Ａｕｔｏ  Ｄｏｃｕｍｅｎｔ  Ｆｅｅｄｅｒと呼ぶ。）（搬送部）２０１と、ＡＤＦ２０１の下方に設けられ、ＡＤＦ２０１によって搬送される原稿の一方の原稿面（表面、第１の面）の画像を読み取るためのリーダー２０２とを備えている。
ＡＤＦ２０１は、複数枚の原稿を分離し、リーダー２０２に給紙するものである。ＡＤＦ２０１は、給紙される複数枚の原稿を載置するための原稿トレイ２０４と、原稿トレイ２０４に載置された原稿を１枚ずつ分離給紙して、リーダー２０２に搬送するための原稿搬送手段２０３とを備えている。また、ＡＤＦ２０１は、リーダー２０２によって画像読み取りがなされた後、排紙された原稿を載置するための排紙トレイ２０５を備えている。
【００１６】
図２（ｂ）に示されているように、ＡＤＦ２０１には、原稿搬送手段２０３を構成する部材として、原稿トレイ２０４に載置された複数枚の原稿Ｇを分離給紙するためのピックアップローラ３００及び分離ローラ対３０１とが設けられている。また、ＡＤＦ２０１には、原稿搬送手段２０３を構成する部材として、分離ローラ対３０１によって分離給紙された原稿Ｇを搬送するための複数のローラ対３０２、３０３、３０４、３０５、３０７、３０９及び３１０が設けられている。また、ＡＤＦ２０１には、プラテンローラ３０６及び３０８が設けられている。
【００１７】
具体的には、原稿搬送手段２０３としては、ピックアップローラ３００及び分離ローラ対３０１と、分離ローラ対３０１の下流に設けられ、分離ローラ対３０１から搬送された原稿Ｇを引き抜くための引抜ローラ対３０２とが含まれる。
また、原稿搬送手段２０３としては、引抜ローラ対３０２の下流に設けられ、引抜ローラ対３０２によって搬送された原稿Ｇを下流のローラ対まで搬送するための搬送ローラ対３０３が含まれる。また、原稿搬送手段２０３としては、搬送ローラ対３０３の下流に設けられ、原稿Ｇの傾きを矯正するレジストローラ対３０４が含まれる。
さらに、原稿搬送手段２０３としては、レジストローラ対３０４の下流に設けられ、原稿Ｇの画像読み取りの安定化のための第１リードローラ対３０５、第１プラテンローラ３０６及び第２リードローラ対３０７が設けられている。そして、原稿搬送手段２０３としては、第２リードローラ対３０７の下流に設けられ、原稿Ｇの画像読み取りの安定化のための第２プラテンローラ３０８及び第３リードローラ対３０９が含まれる。
【００１８】
以下に示すように、第１プラテンローラ３０６は、第１画像読取ユニット３１４が搬送された原稿Ｇの一方の原稿面の画像を読み取る際に、原稿Ｇを第１プラテンガラス３１１上に付勢しながら、第１プラテンガラス３１１に対して所定の間隔を空けて原稿Ｇを搬送する。
また、原稿搬送手段２０３としては、第３リードローラ対３０９の下流に設けられ、画像読み取り後の原稿Ｇを排紙トレイ２０５に排紙するための排紙ローラ対３１０が含まれる。
【００１９】
そして、ＡＤＦ２０１の下方には、リーダー２０２が設けられている。リーダー２０２の内部には、ＡＤＦ２０１によって第１プラテンガラス３１１上に搬送される原稿Ｇの表面画像や、原稿台ガラス３１３上に載置された原稿の画像を読み取るための第１画像読取ユニット３１４が設けられている。第１画像読取ユニット３１４は、不図示のレール上を方向Ｔに沿って移動可能である。
第１画像読取ユニット３１４は、ＡＤＦ２０１によって搬送される原稿Ｇの表面画像を読み取る（原稿流し読み）際には、第１プラテンローラ３０６の対向側（下方）に設けられた第１プラテンガラス３１１の下方の第１位置Ａに停止して画像読み取りを行う。
【００２０】
一方、原稿台ガラス３１３上に載置された原稿の画像を読み取る（原稿固定読み）際には、第１画像読取ユニット３１４は、制御部３１６によって制御される不図示のモーターの駆動により第１位置Ａから第２位置Ｂまで方向Ｔに沿って移動走査する。それにより、第１画像読取ユニット３１４は、原稿台ガラス３１３上の原稿画像の読み取りを行う。
そして、第１画像読取ユニット３１４によって読み取られた原稿の画像データは、制御部３１６によって処理される。
【００２１】
さらに、ＡＤＦ２０１の内部には、搬送された原稿Ｇの他方の原稿面（裏面、第１の面の反対側の面である第２の面）の画像を読み取るために、第２プラテンローラ３０８の対向側に第２プラテンガラス３１２（透光部材）が設けられている。また、第２プラテンガラス３１２を挟んで、第２プラテンローラ３０８に対向する位置Ｃに第２画像読取ユニット３１５が設けられている。
これにより、ＡＤＦ２０１によって原稿Ｇを搬送する場合には、第１画像読取ユニット３１４と第２画像読取ユニット３１５とによって原稿Ｇの表裏両面の画像を読み取ることができる。
【００２２】
図３（ａ）及び（ｂ）はそれぞれ、本実施形態に係る第２画像読取ユニット３１５（読取部）の断面図及び照明装置４０１、４０２（照明部）近傍の拡大図を示している。
【００２３】
図３（ａ）に示されているように、第２プラテンガラス３１２の表面上の所定の位置が原稿Ｇの読取位置Ｈに対応するように、第２プラテンガラス３１２及び第２画像読取ユニット３１５が設けられている。
そして、搬送方向（第１の方向）に搬送される原稿Ｇの読取位置Ｈにおける裏面の画像が第２画像読取ユニット３１５によって読み取られる。ここで、第２プラテンガラス３１２に対して搬送される原稿Ｇの読取位置Ｈにおける接線Ｑが傾斜している。
また、原稿Ｇの多種化に対応するように、第２プラテンガラス３１２と第２プラテンローラ３０８との間には、間隔ｔだけ原稿Ｇが通過する幅が設けられている。
【００２４】
第２プラテンガラス３１２は、アクリル樹脂、ポリエステル樹脂、ポリカーボネイト樹脂やガラス等の透光性を有する材料から作製される。
また、第２画像読取ユニット３１５は、上流側照明装置４０１、下流側照明装置４０２、折り返しミラー４０４ａ、４０４ｂ、４０４ｃ、４０４ｄ、結像光学系４０５（結像部、縮小光学系）及び受光部４０６を一体的に保持するように備えている。
【００２５】
受光部４０６は、原稿Ｇからの光を受光するイメージセンサから構成されている。ここでイメージセンサとしては、ＣＣＤイメージセンサやＣＭＯＳイメージセンサ等を採用することができる。
なお、受光部４０６としては、ＲＧＢ画素のいずれか一つが原稿Ｇの搬送方向及び第２プラテンガラス３１２の法線に垂直な方向（第２の方向）に一列に並んだＲラインセンサ、Ｇラインセンサ及びＢラインセンサをそれぞれ結像光学系４０５の光軸（原稿Ｇ側の光軸）及び第２の方向に垂直な方向（第３の方向）に配列して構成することができる。また、それに限らず、隣接するラインとの間でＲ画素、Ｇ画素及びＢ画素がそれぞれ千鳥状に並ぶように配列された複数のラインセンサで構成してもよい。
【００２６】
第２画像読取ユニット３１５の反射光学系４０４は、原稿Ｇからの光を折り返して結像光学系４０５に導く折り返しミラー４０４ａ、４０４ｂ、４０４ｃ及び４０４ｄから構成される。
結像光学系４０５は、反射光学系４０４からの光を受光部４０６の受光面上に集光し、原稿Ｇの画像情報に基づく像を形成する縮小光学系である。
すなわち、反射光学系４０４と結像光学系４０５とで、第２画像読取ユニット３１５の光学系は構成されている。
【００２７】
図３（ａ）に示されているように、上流側照明装置４０１（第１の照明部）及び下流側照明装置４０２（第２の照明部）から出射した光は、原稿Ｇの原稿面によって拡散反射される。そして、拡散反射された光は、反射光学系４０４によって結像光学系４０５に導かれ、受光部４０６の受光面上に集光される。
そして、原稿Ｇを上流側から下流側（すなわち、第２リードローラ対３０７側から第３リードローラ対３０９側）へ搬送させることによって、受光部４０６は原稿Ｇの原稿面全体の画像情報を線順次方式で読み取ることができる。
また、受光部４０６によって読み取られた画像情報は、電気信号として不図示のインターフェースを通じて不図示の画像処理部やパーソナルコンピュータなどの外部機器に送信される。
【００２８】
図３（ｂ）に示されているように、上流側照明装置４０１は、光源４０７（第１の光源）、光源保持部材（光源基板）４０８及び導光体４０９（第１の導光体）を備えている。
同様に、下流側照明装置４０２は、光源４０７（第２の光源）、光源保持部材（光源基板）４０８及び導光体４０９（第２の導光体）を備えている。
【００２９】
光源保持部材４０８に保持されている光源４０７は、第２の方向に所定の間隔で配列されている複数の白色発光ダイオード（ＬＥＤ）から構成されている（以下、ＬＥＤ４０７と称する）。
ＬＥＤ４０７から出射した光は、第２の方向に長尺な導光体４０９の入射面４１０（第１の入射面、第２の入射面）から導光体４０９の内部に入射する。
そして、入射した光線は、導光体４０９の内部で導光されて出射面４１１（第１の出射面、第２の出射面）から出射し、第２プラテンガラス３１２を透過して、原稿Ｇを照明する。
ここで、導光体４０９の材料としては、ガラス等の透光性の無機材料や、アクリル樹脂、ポリエステル樹脂、ポリカーボネイト樹脂等の透光性の有機材料を用いることができる。
その中でも、プラスチック等の成型が容易な合成樹脂材料を用いることが好ましく、本実施形態においてはアクリル樹脂（ＰＭＭＡ）を採用している。
【００３０】
図６（ａ）は、従来の画像読取装置における第２画像読取ユニット７１５の断面図を示している。
また、図６（ｂ）及び（ｃ）は、第２画像読取ユニット７１５が備える照明装置７０１、７０２近傍の拡大図を示している。
ここで、従来の画像読取装置は、第２画像読取ユニットと第２プラテンガラスとの間の配置関係を除いて、本実施形態に係る画像読取装置１０１と同一の構成であるため、同一の部分については説明を省略する。
【００３１】
図６（ｂ）に示されているように、上流側照明装置７０１は、光源７０７、光源保持部材（光源基板）７０８及び導光体７０９を備えている。
また、図６（ｃ）に示されているように、下流側照明装置７０２も同様に、光源７０７、光源保持部材（光源基板）７０８及び導光体７１２を備えている。
【００３２】
上流側照明装置７０１及び下流側照明装置７０２のように、光源７０７としてＬＥＤを第２の方向に配列すると、第２画像読取ユニット７１５の第２の方向に長尺な読取領域と比較して、各々のＬＥＤは点光源としてみなすことができる。
ここで、例えば原稿Ｇが光沢を有している場合、図６（ｂ）に示されているように、搬送される原稿Ｇの読取位置Ｈにおいて第２プラテンガラス３１２に対してとる姿勢によっては、原稿Ｇからの正反射光Ｌ１の進行方向が第２画像読取ユニット７１５の読取光軸Ｒと一致してしまう。換言すると、第２の方向に垂直な第１の断面（原稿Ｇの読取位置Ｈにおける搬送方向と第２プラテンガラス３１２の法線とを含む第１の断面）内において原稿Ｇの読取位置Ｈにおける第２プラテンガラス３１２に対してなす傾斜角度θ１によっては、原稿Ｇからの正反射光Ｌ１の進行方向が読取光軸Ｒと一致してしまう。
【００３３】
この場合、正反射光Ｌ１は、反射光学系７０４及び結像光学系７０５によって受光部７０６に集光されてしまい、特に明るい部位であるＬＥＤ７０７による明るい点列（鏡像）が読取画像に写りこんでしまう。
なお、ここでいう読取光軸Ｒとは、第２画像読取ユニット７１５の光学系の原稿側の光軸（原稿側から見たとき、反射光学系７０４により折り曲げられる前の軸）である。
【００３４】
一方、図６（ｃ）に示されているように、原稿Ｇが傾斜角度θ１を有していても、下流側照明装置７０２から出射し原稿Ｇによって正反射された正反射光Ｌ２の進行方向は、読取光軸Ｒとは一致しない。
そのため、正反射光Ｌ２は、反射光学系７０４及び結像光学系７０５によって受光部７０６に集光されない。
【００３５】
そこで、本実施形態に係る画像読取装置１０１では、以下の構成を採ることにより、上記に示したような正反射光の取り込みを抑制している。
【００３６】
図３（ｂ）に示されているように、本実施形態に係る画像読取装置１０１では、第２画像読取ユニット３１５の姿勢を第２プラテンガラス３１２に対して回転させている。具体的には、第１の断面内において第２画像読取ユニット３１５の読取光軸Ｒが第２プラテンガラス３１２の原稿Ｇの側の法線Ｓ（以下、単に「第２プラテンガラス３１２の法線Ｓ」と称する。）に対して角度θ＝５°をなすように、第２画像読取ユニット３１５を配置している。
換言すると、第１の断面内において、第２プラテンガラス３１２の法線Ｓが原稿Ｇの読取位置Ｈにおける法線Ｐ（以下、単に「原稿Ｇの法線Ｐ」と称する。）に対してなす角度θ１は、第２画像読取ユニット３１５の読取光軸Ｒが原稿Ｇの法線Ｐに対してなす角度（θ１−θ）より大きくなっている。
【００３７】
本実施形態に係る画像読取装置１０１では、図３（ｂ）に示されているように、第１の断面内での原稿Ｇの読取位置Ｈにおいて第２プラテンガラス３１２に対して傾斜角度θ１＝５°をなすように、原稿Ｇが搬送される。すなわち、ＡＤＦ２０１は、原稿Ｇを第２プラテンガラス３１２に対して傾斜角度θ１を有するように搬送させる第２プラテンローラ３０８を備えている。
このとき、本実施形態に係る画像読取装置１０１のように、第１の断面内において読取光軸Ｒが第２プラテンガラス３１２の法線Ｓに対して角度θ＝５°をなすように第２画像読取ユニット３１５を配置すると、読取光軸Ｒは、原稿Ｇの法線Ｐと平行になる（一致する）ことになる。
【００３８】
これにより、上流側照明装置４０１から出射し原稿Ｇによって正反射された正反射光Ｌ１の進行方向は読取光軸Ｒと一致しなくなり、正反射光Ｌ１は受光部４０６に集光されず、ＬＥＤ４０７による明るい点列（鏡像）の読取画像への写りこみを回避することができる。
また、読取光軸Ｒが原稿Ｇの法線Ｐと平行である（一致している）ため、下流側照明装置４０２から出射し原稿Ｇによって正反射された正反射光Ｌ２の進行方向も、読取光軸Ｒと一致しなくなり、正反射光Ｌ２も受光部４０６に集光されなくなる。
【００３９】
このように、本実施形態に係る画像読取装置１０１では、第１の断面内において第２画像読取ユニット３１５の読取光軸Ｒが第２プラテンガラス３１２の法線Ｓに対してなす角度θが、第１の断面内での原稿Ｇの読取位置Ｈにおいて第２プラテンガラス３１２に対してなす傾斜角度θ１と同じになるように、第２画像読取ユニット３１５を配置している。
【００４０】
これにより、上流側照明装置４０１及び下流側照明装置４０２から出射し原稿Ｇによって正反射された正反射光Ｌ１及びＬ２の進行方向は読取光軸Ｒと一致しなくなる。
そのため、正反射光Ｌ１及びＬ２が受光部４０６に集光されなくなり、ＬＥＤ４０７による明るい点列（鏡像）の読取画像への写りこみを回避することができる。
【００４１】
なお、本実施形態に係る画像読取装置１０１では、第１画像読取ユニット３１４は、原稿流し読みに加えて、原稿固定読み（すなわち、移動走査する）も行うため、第２画像読取ユニット３１５に適用したような上記の構成は適用していない。
【００４２】
また、従来の画像読取装置において、原稿面と受光部との間で発生する多重反射によるフレア（ゴースト）を除去するために、画像読取ユニットの読取光軸がプラテンガラスの法線に平行にならないように、すなわちプラテンガラスの法線に対して角度をなすように画像読取ユニットを配置する構成が知られている。
【００４３】
しかしながら、そのような従来の画像読取装置では、原稿がプラテンガラスに対して傾斜して搬送される場合は考えられていない。すなわち、プラテンガラスと原稿とは互いに平行（プラテンガラスの法線と原稿の法線とは互いに平行）である。
そのため、画像読取ユニットの読取光軸が原稿の法線と平行にならないように（原稿に平行であるプラテンガラスの法線に対して平行にならないように）、すなわちプラテンガラスの法線に対して角度をなすように画像読取ユニットを配置して、多重反射によるフレア（ゴースト）を除去している。
【００４４】
一方、本実施形態に係る画像読取装置１０１では、原稿Ｇが第２プラテンガラス３１２に対して傾斜して搬送されることを前提としている。
そして、第１の断面内において第２画像読取ユニット３１５の読取光軸Ｒが第２プラテンガラス３１２の法線Ｓに対して角度をなすように配置している。そして、読取光軸Ｒを原稿Ｇの法線Ｐと一致させることによって、ＬＥＤ４０７による明るい点列（鏡像）の読取画像への写りこみを回避している。
【００４５】
ここでもし、原稿Ｇと第２プラテンガラス３１２とが互いに平行だとしたら、第２画像読取ユニット３１５の読取光軸Ｒを原稿Ｇの法線Ｐと一致させるためには、読取光軸Ｒを第２プラテンガラス３１２の法線Ｓと一致させればよい。それにより、ＬＥＤ４０７による明るい点列（鏡像）の読取画像への写りこみを回避することができる。
従って、上記の従来の画像読取装置の課題を解決するための構成と、本実施形態に係る画像読取装置１０１の課題を解決するための構成とは、完全に異なっている。
【００４６】
［第二実施形態］
図４（ａ）及び（ｂ）はそれぞれ、第二実施形態に係る画像読取装置が備える第２画像読取ユニット５１５の断面図及び照明装置５０１、５０２近傍の拡大図を示している。
なお、本実施形態に係る画像読取装置は、第２画像読取ユニットと第２プラテンガラスとの間の配置関係及び第２画像読取ユニットの構成を除いて、第一実施形態に係る画像読取装置１０１と同一の構成であるため、同一の部分については説明を省略する。
【００４７】
本実施形態に係る画像読取装置では、第２画像読取ユニット５１５の内部に拡散部材５０３が設けられている。
図４（ｂ）に示されているように、本実施形態に係る画像読取装置では、第１の断面内での原稿Ｇの読取位置Ｈにおいて第２プラテンガラス３１２に対して傾斜角度θ１＝５°をなすように、原稿Ｇが搬送される。
そして、第１の断面内において読取光軸Ｒが第２プラテンガラス３１２の法線Ｓに対して角度θ＝２°をなすように第２画像読取ユニット５１５を配置させている。それにより、正反射光Ｌ１は受光部５０６に集光されず、ＬＥＤ５０７による明るい点列（鏡像）の読取画像への写りこみを回避している。
【００４８】
上記のように、ＬＥＤによる明るい点列（鏡像）の読取画像への写りこみは、正反射光Ｌ１の進行方向が読取光軸Ｒに一致することを回避すればよい。そのため、本実施形態に係る画像読取装置のように、第１の断面内において読取光軸Ｒが第２プラテンガラス３１２の法線Ｓに対してなす角度θが２°以上になるように第２画像読取ユニット５１５を配置すれば十分である。
【００４９】
しかしながら、組立時の公差や、原稿Ｇの厚み、コシ等によって、搬送原稿Ｇの読取位置Ｈにおける傾斜角度θ１が称呼の値（例えば、常温常湿における普通紙のときの値）に対して２°程度ずれる場合が考えられる。
その場合、正反射光Ｌ１の進行方向と読取光軸Ｒとが互いに一致してしまい、正反射光Ｌ１が、反射光学系５０４及び結像光学系５０５によって受光部５０６に集光される可能性が生じる。
【００５０】
そこで、本実施形態に係る画像読取装置のように、第１の断面内において読取光軸Ｒが第２プラテンガラス３１２の法線Ｓに対してなす角度θが原稿Ｇの傾斜角度θ１の１／２以下である場合には、拡散部材５０３を上流側照明装置５０１の導光体５０９の出射面５１１から原稿Ｇの読取位置Ｈまでの光路を含むように配置する。それにより、そのような非称呼状態においても上流側照明装置５０１のＬＥＤ５０７による明るい点列（鏡像）の読取画像への写りこみを回避することができる。
【００５１】
なお、図４（ｂ）に示されているように、第１の断面内において第２画像読取ユニット５１５の読取光軸Ｒが原稿Ｇの法線Ｐとの間の角度を小さくするように（すなわち、上流側に傾くように）、第２プラテンガラス３１２の法線Ｓに対して角度θをなすように、第２画像読取ユニット５１５が配置されている。
そのため、搬送原稿Ｇの読取位置Ｈにおける傾斜角度θ１が称呼の値からずれたとしても、下流側照明装置５０２から出射し原稿Ｇによって正反射された正反射光Ｌ２は、反射光学系５０４及び結像光学系５０５によって受光部５０６に集光されないと考えられる。
【００５２】
そこで、本実施形態に係る画像読取装置では、上流側照明装置５０１の導光体５０９の出射面５１１から搬送原稿Ｇの読取位置Ｈまでの光路のみを含むように拡散部材５０３を配置している。
これにより、下流側照明装置５０２の出射面から搬送原稿Ｇの読取位置Ｈまでの光路を含むように拡散部材は配置しないため、下流側照明装置５０２に関して拡散部材を配置することによる光量低下を抑制することができる。
【００５３】
この構成は、光量不足が懸念される、本実施形態に係る画像読取装置のような読取光軸Ｒを挟んで両側から照明する構成を採用している高速機向けの装置に対して特に有効である。
また、上記の構成により、上流側照明装置５０１から出射した光と下流側照明装置５０２から出射した光とは、互いに拡散度が異なることとなる。
【００５４】
なお、拡散部材５０３としては、上流側照明装置５０１から出射した光を第３の方向よりも第２の方向において広く拡散させる、例えばシリンドリカルレンズアレイ等の異方性拡散部材が好ましい。
これは、点列（鏡像）の生成を抑えるために光は第２の方向には広く拡散させたいが、第３の方向については集光を維持させたいからである。
【００５５】
以上のように、本実施形態に係る画像読取装置では、第１の断面内において第２画像読取ユニット５１５の読取光軸Ｒが原稿Ｇの法線Ｐとの間の角度を小さくするように、第２プラテンガラス３１２の法線Ｓに対して角度θをなすように、第２画像読取ユニット５１５を配置している。
換言すると、第１の断面内において、第２プラテンガラス３１２の法線Ｓが原稿Ｇの法線Ｐに対してなす角度θ１は、第２画像読取ユニット５１５の読取光軸Ｒが原稿Ｇの法線Ｐに対してなす角度（θ１−θ）より大きくなっている。
【００５６】
そして、上流側照明装置５０１の導光体５０９の出射面５１１から原稿Ｇの読取位置Ｈまでの光路を含むように拡散部材５０３を配置している。
これにより、上流側照明装置５０１及び下流側照明装置５０２から出射し原稿Ｇによって正反射された正反射光Ｌ１及びＬ２によって発生する、ＬＥＤ４０７による明るい点列（鏡像）の読取画像への写りこみを抑制することができる。
【００５７】
［第三実施形態］
図５（ａ）及び（ｂ）はそれぞれ、第三実施形態に係る画像読取装置が備える第２画像読取ユニット６１５の断面図及び照明装置６０１、６０２近傍の拡大図を示している。
なお、本実施形態に係る画像読取装置は、第２画像読取ユニットと第２プラテンガラスとの間の配置関係及び上流側照明装置の構成を除いて、第一実施形態に係る画像読取装置１０１と同一の構成であるため、同一の部分については説明を省略する。
【００５８】
図５（ｂ）に示されているように、本実施形態に係る画像読取装置では、第１の断面内での原稿Ｇの読取位置Ｈにおいて第２プラテンガラス３１２に対して傾斜角度θ１＝５°をなすように、原稿Ｇが搬送される。
そして、第１の断面内において読取光軸Ｒが第２プラテンガラス３１２の法線Ｓに対して角度θ＝２°をなすように第２画像読取ユニット６１５を配置させている。それにより、正反射光Ｌ１は受光部６０６に集光されず、ＬＥＤ６０７による明るい点列（鏡像）の読取画像への写りこみを回避している。
【００５９】
上記のように、ＬＥＤによる明るい点列（鏡像）の読取画像への写りこみは、正反射光Ｌ１の進行方向が読取光軸Ｒに一致することを回避すればよい。そのため、本実施形態に係る画像読取装置のように、第１の断面内において読取光軸Ｒが第２プラテンガラス３１２の法線Ｓに対してなす角度θが２°以上になるように第２画像読取ユニット６１５を配置すれば十分である。
【００６０】
しかしながら、組立時の公差や、原稿Ｇの厚み、コシ等によって、搬送原稿Ｇの読取位置Ｈにおける傾斜角度θ１が称呼の値（例えば、常温常湿における普通紙のときの値）に対して２°程度ずれる場合が考えられる。
その場合、正反射光Ｌ１の進行方向と読取光軸Ｒとが互いに一致してしまい、正反射光Ｌ１が、反射光学系６０４及び結像光学系６０５によって受光部６０６に集光される可能性が生じる。
【００６１】
そこで、本実施形態に係る画像読取装置のように、第１の断面内において読取光軸Ｒが第２プラテンガラス３１２の法線Ｓに対してなす角度θが原稿Ｇの傾斜角度θ１の１／２以下である場合には、上流側照明装置６０１の導光体６０９の出射面６１１に微細凹凸構造を含むようにシボ加工を施す。それにより、そのような非称呼状態においても上流側照明装置のＬＥＤ６０７による明るい点列（鏡像）の読取画像への写りこみを回避することができる。
【００６２】
なお、図５（ｂ）に示されているように、第１の断面内において第２画像読取ユニット６１５の読取光軸Ｒが原稿Ｇの法線Ｐとの間の角度を小さくするように（すなわち、上流側に傾くように）、第２プラテンガラス３１２の法線Ｓに対して角度をなすように、第２画像読取ユニット６１５が配置されている。
そのため、搬送原稿Ｇの読取位置Ｈにおける傾斜角度θ１が称呼の値からずれたとしても、下流側照明装置６０２から出射し原稿Ｇによって正反射された正反射光Ｌ２は、反射光学系６０４及び結像光学系６０５によって受光部６０６に集光されないと考えられる。
【００６３】
そこで、本実施形態に係る画像読取装置では、上流側照明装置６０１の導光体６０９の出射面６１１にのみシボ加工を施している。
これにより、下流側照明装置６０２の出射面６１４にはシボ加工を施さないため、下流側照明装置６０２に関してシボ加工を施すことによる光量低下を抑制することができる。
【００６４】
この構成は、光量不足が懸念される、本実施形態に係る画像読取装置のような読取光軸Ｒを挟んで両側から照明する構成を採用している高速機向けの装置に対して特に有効である。
また、上記の構成により、上流側照明装置６０１から出射した光と下流側照明装置６０２から出射した光とは、互いに拡散度が異なることとなる。
【００６５】
以上のように、本実施形態に係る画像読取装置では、第１の断面内において第２画像読取ユニット６１５の読取光軸Ｒが原稿Ｇの法線Ｐとの間の角度を小さくするように、第２プラテンガラス３１２の法線Ｓに対して角度をなすように、第２画像読取ユニット６１５を配置している。
換言すると、第１の断面内において、第２プラテンガラス３１２の法線Ｓが原稿Ｇの法線Ｐに対してなす角度θ１は、第２画像読取ユニット６１５の読取光軸Ｒが原稿Ｇの法線Ｐに対してなす角度（θ１−θ）より大きくなっている。
そして、上流側照明装置６０１の導光体６０９の出射面６１１にシボ加工を施している。
これにより、上流側照明装置６０１及び下流側照明装置６０２から出射し原稿Ｇによって正反射された正反射光Ｌ１及びＬ２によって発生する、ＬＥＤ４０７による明るい点列（鏡像）の読取画像への写りこみを抑制することができる。
【００６６】
なお、上流側照明装置６０１の導光体６０９の出射面６１１には、シボ加工に限らず、不規則な微細加工を施しても構わない。
【００６７】
以上、好ましい実施形態について説明したが、これらの実施形態に限定されず、その要旨の範囲内で種々の変形及び変更が可能である。
【符号の説明】
【００６８】
１０１  画像読取装置
２０１  自動原稿搬送装置（搬送部）
３１２  第２プラテンガラス（透光部材）
４０１、４０２  照明装置（照明部）
４０４  反射光学系（光学系）
４０５  結像光学系（光学系）
４０６  受光部
Ｇ  原稿
【図１】
2020071427.tif 000003
【図２】
2020071427.tif 000004
【図３】
2020071427.tif 000005
【図４】
2020071427.tif 000006
【図５】
2020071427.tif 000007
【図６】
2020071427.tif 000008